(57)【要約】  【課題】オペレータがオペレータシートの所定の位置に座ったままの状態で、又、作業用操縦レバーの握り部を離さずに、音響機器用のスイッチを簡単に操作することができる構造にする。  【解決手段】音響機器を操作するためのスイッチを作業用操縦レバー２３の握り部２７に設け、オペレータがオペレータシートの所定の位置に座ったままの状態で、又、作業用操縦レバー２３の握り部２７から手を離すことなくスイッチＳＷ１〜ＳＷ５を指等で直接操作することができるようにした。【選択図】図３
2005307605.tif 000002
【特許請求の範囲】
【請求項１】
音響機器を搭載した建設機械の音響機器操作装置に於いて、
前記音響機器を操作するためのスイッチを作業用操縦レバーの握り部に設けたことを特徴とする建設機械の音響機器操作装置。
【請求項２】
上記スイッチが、上記音響機器の電源をオン・オフ操作する電源コントロール用のスイッチである請求項１記載の建設機械の音響機器操作装置。
【請求項３】
上記スイッチが、上記音響機器の音量を所定のレベルまで瞬時に下げる操作をする音量レベルダウンコントローラ用のスイッチである請求項１又は２記載の建設機械の音響機器操作装置。
【請求項４】
上記スイッチが、上記音響機器の音量を０レベルまで瞬時に下げるミュートコントローラ用のスイッチである請求項１，２又は３記載の建設機械の音響機器操作装置。
【請求項５】
上記スイッチが、上記音響機器の音量を連続して上又は下方向に切換可能な音量コントローラ用のスイッチである請求項１，２，３又は４記載の建設機械の音響機器操作装置。
【発明の詳細な説明】
【技術分野】
【０００１】
本発明は例えば油圧ショベルのような建設機械の音響機器操作装置に関するものであり、特に、オペレータがオペレータシートの所定の位置に座ったままの状態で、音響機器用のスイッチを簡単に操作することができる建設機械の音響機器操作装置に関するものである。
【背景技術】
【０００２】
従来、建設機械に於ける運転環境を良くするためにラジオ等の音響機器を、キャブ内に設けたものが知られている。この音響機器は、オペレータが座るオペレータシートのサイドに設けられている。又、音響機器の操作も、該オペレータシートのサイドに設けられているパネル上の操作スイッチを、オペレータが指で直接触れて行うようになっている（例えば、特許文献１参照）。
【特許文献１】特開２００１−１６４６０２号公報。
【発明の開示】
【発明が解決しようとする課題】
【０００３】
上述したように、特許文献１記載の発明は、音響機器の操作は、オペレータシートのサイドに設けられている操作スイッチを、オペレータが指で直接触れて行うようになっている。このため、運転操作中に、周囲の環境、例えば外部との会話や、ハンドフリー方式による電話或いは無線通信を行う必要が生じて、音量を下げたり、音源を遮断したりするとき、直ぐに対応出来ないという問題があった。又、運転操作中に作業用操縦レバーから手を離して操作スイッチを操作することも考えられ、安全性の面から好ましくなかった。
【０００４】
そこで、オペレータがオペレータシートの所定の位置に座ったままの状態で、又、作業用操縦レバーの握り部を離さずに、音響機器用のスイッチを簡単に操作することができる構造にするために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、音響機器を搭載した建設機械の音響機器操作装置に於いて、前記音響機器を操作するためのスイッチを作業用操縦レバーの握り部に設けた建設機械の音響機器操作装置を提供する。
【０００６】
この構成によれば、オペレータがオペレータシートの所定の位置に座ったままの状態で、又、作業用操縦レバーの握り部から手を離すことなく、該作業用操縦レバーの握り部に設けた音響機器用のスイッチを操作できる。
【０００７】
請求項２記載の発明は、上記スイッチが、上記音響機器の電源をオン・オフ操作する電源コントロール用のスイッチである建設機械の音響機器操作装置を提供する。
【０００８】
この構成によれば、オペレータがオペレータシートの所定の位置に座ったままの状態で、又、作業用操縦レバーの握り部から手を離すことなく、指等でスイッチを直接操作して、音響機器の電源をオン・オフ操作することができる。
【０００９】
請求項３記載の発明は、上記スイッチが、上記音響機器の音量を所定のレベルまで瞬時に落とす操作をするための音量レベルダウンコントローラ用のスイッチである建設機械の音響機器操作装置を提供する。
【００１０】
この構成によれば、オペレータがオペレータシートの所定の位置に座ったままの状態で、又、作業用操縦レバーの握り部から手を離すことなく、指等でスイッチを直接操作して音響機器の音量を所定のレベルまで瞬時に落すことができる。
【００１１】
請求項４記載の発明は、上記スイッチが、上記音響機器の音量を０レベルまで瞬時に下げるミュートコントローラ用のスイッチである建設機械の音響機器操作装置を提供する。
【００１２】
この構成によれば、オペレータがオペレータシートの所定の位置に座ったままの状態で、又、作業用操縦レバーの握り部から手を離すことなく、指等でミュートスイッチを直接操作して音響機器の音量を０レベルまで瞬時に下げることができる。
【００１３】
請求項５記載の発明は、上記スイッチが、上記音響機器の音量を連続して上又は下方向に切換可能な音量コントローラ用のスイッチである建設機械の音響機器操作装置を提供する。
【００１４】
この構成によれば、オペレータがオペレータシートの所定の位置に座ったままの状態で、又、作業用操縦レバーの握り部から手を離すことなく指等でスイッチを直接操作して、音響機器の音量を上又は下方向側に連続して切り換えることができる。
【発明の効果】
【００１５】
請求項１記載の発明は、運転操作中に、例えば外部との会話や、ハンドフリー方式による電話或いは無線通信を行う必要が生じて、音量を下げたり、音源を遮断したりするとき、オペレータがオペレータシートの所定の位置に座ったままの状態で、又、作業用操縦レバーの握り部から手を離さずに音響機器用のスイッチを操作して直ぐに対応できるので、オペレータの作業性及び居住性が向上すると共に、安全性も向上する。
【００１６】
請求項２記載の発明は、オペレータがオペレータシートに座ったままの状態で、音響機器の電源をオン・オフ操作することができるので、請求項１記載の発明の効果に加えて、音響機器の電源のオン・オフを簡単に行うことができ、更にオペレータの作業性向上に寄与する。
【００１７】
請求項３記載の発明は、オペレータがオペレータシートに座ったままの状態で、音響機器の音量を所定のレベルまで瞬時に下げることができるので、請求項１又は２記載の発明の効果に加えて、更にオペレータの作業性向上に寄与する。
【００１８】
請求項４記載の発明は、オペレータがオペレータシートに座ったままの状態で、音響機器の音量を０レベルまで瞬時に下げるミュート操作を行うことができるので、請求項１，２又は３記載の発明の効果に加えて、ミュート操作を簡単に行うことができ、更にオペレータの作業性向上に寄与する。
【００１９】
請求項５記載の発明は、オペレータがオペレータシートに座ったままの状態で、音響機器の音量を上又は下方向に連続して切り換えるスイッチを操作することができるので、請求項１，２，３又は４記載の発明の効果に加えて、音響機器の音量調節を簡単に行うことができ、更にオペレータの作業性向上に寄与する。
【発明を実施するための最良の形態】
【００２０】
オペレータがオペレータシートの所定の位置に座ったままの状態で、又、作業用操縦レバーの握り部を離さずに音響機器用のスイッチを簡単に操作することができる構造にするために、前記音響機器を操作するためのスイッチを作業用操縦レバーの握り部に設けた建設機械の音響機器操作装置を提供する。
【実施例】
【００２１】
以下、本発明の一実施の形態を図面に従って詳述する。図１は本発明を適用した建設機械としての油圧ショベルを示す。該油圧ショベル１０は、下部走行体１１の上に旋回機構１２を介して上部旋回体１３が旋回自在に載置されている。上部旋回体１３には、その前方一側部にキャブ１４が設けられ、且つ、前方中央部にブーム１５が俯仰可能に取り付けられている。又、ブーム１５の先端にアーム１６が上下回動自在に取り付けられ、更に該アーム１５の先端にバケット１７が取り付けられている。
【００２２】
図２は、キャブ１４内の概略構成を示す。該キャブ１４内の左右両側には、コンソールボックス１８，１８が配設され、該コンソールボックス１８，１８の間にオペレータが座って運転操作を行うためのオペレータシート１９が設置されている。該オペレータシート１９のサイドには、音響機器の操作パネル２０が設けられている。ここでの音響機器は、例えばラジオであり、その音響機器の本体部分は操作パネル２０の内側に配置され、左右一対のスピーカ２１，２１はオペレータシート１９の背面側でカバー２２に取り付けられている。
【００２３】
前記各コンソールボックス１８，１８の上面部分には、上部旋回体１３やブーム１５，アーム１６，バケット１７を操作するための作業用操縦レバー２３が設けられている。
【００２４】
図３は、操縦レバー用ブーツ２４及びコネクタ２５ａ，２５ｂを設けた電気ケーブル２６と共にユニット化された状態で示す作業用操縦レバー２３の側面図で、操縦レバー用ブーツ２４は中央で断面されている。図４は操縦レバー２３の正面図である。
【００２５】
図３及び図４に於いて、作業用操縦レバー２３は、その下端側が操縦レバー用ブーツ２４の上部開口２５から挿入され、その挿入された下端側を図示しない作業切換用部材に連結している。又、操縦レバー用ブーツ２４の上側から突出している作業用操縦レバー２３の握り部２７の内部には各種のスイッチＳＷ１〜ＳＷ１０が配置されている。その各スイッチＳＷ１〜ＳＷ１０は、該各スイッチＳＷ１〜ＳＷ１０と対応して握り部２７に設けられている操作ボタン３１，３２，３３，３４，３５，３６，３７，３８，３９，４０を押圧操作すると、その押圧した操作ボタン３１〜４０と対応しているスイッチのオン／オフを操作することができる。ここでの各スイッチＳＷ１〜ＳＷ１０の信号は、電気ケーブル２６及びコネクタ２５ａ，２５ｂを通して、音響機器(図５参照)及び図示せぬ外部の制御回路に出力される。
【００２６】
尚、スイッチＳＷ１〜ＳＷ５は後述する音響機器を制御するためのスイッチである。一方、スイッチＳＷ６〜ＳＷ１０は上部旋回体１３の旋回操作や、ホーン操作、ジブ操作等、作業操作を行うためのスイッチである。
【００２７】
図５は、音響機器の一構成例を示すブロック回路図である。図５に於いて、音響機器５０は、制御回路５１、電源コントローラ５２、音量レベルダウンコントローラ５３、音量コントローラ５４、ミュートコントローラ５５、表示装置５６、及び上記スピーカ２１等で構成されている。そして、制御回路５１には、コネクタ２５ａ及び電気ケーブル２６を介してスイッチＳＷ１〜ＳＷ５が接続されている。
【００２８】
前記制御回路５１は、マイクロコンピュータ(通称「マイコン」)であり、予めプログラムされている手順に従い、音響機器５０全体の動作を制御する。
【００２９】
前記電源コントローラ５２は、操作ボタン３１が押圧されてスイッチＳＷ１がオンされた信号を制御回路５１から受け取ると、音響機器１０の電源をオフからオンに切り換える。又、再度、操作ボタン３１が押圧されてスイッチＳＷ１がオンされた信号を制御回路５１から受け取ると、音響機器１０の電源をオンからオフに切り換えられる構造になっている。
【００３０】
音量レベルダウンコントローラ５３は、音響機器５０の音量を所定のレベルまで瞬時に下げることができる回路で、操作ボタン３２が押圧されてスイッチＳＷ２がオンされた信号を制御回路５１から受け取ると、制御回路５１から出力される信号で音量を所定のレベルまで瞬時に下げ、再度、スイッチＳＷ２がオン操作されると元の音量まで瞬時に戻す構造になっている。
【００３１】
前記音量コントローラ５４は、音響機器５０の音量を連続して任意のレベル位置まで下げる、又は上げることができるボリューム機能を有する回路である。そして、操作ボタン３３が押圧されてスイッチＳＷ３がオンされた信号を制御回路５１から受け取ると、該スイッチＳＷ３がオンされている間、音量を最大レベルに向かって徐々に上げ、スイッチＳＷ３のオン操作が終了するとそのレベル位置で保持する。反対に、操作ボタン３４が押圧されてスイッチＳＷ４がオンされた信号を制御回路５１から受け取ると、該スイッチＳＷ４がオンされている間、音量を最小レベルに向かって徐々に下げ、スイッチＳＷ４のオン操作が終了するとそのレベル位置で保持する構造になっている。
【００３２】
前記ミュートコントローラ５５は、音響機器５０の音量を０レベルまで瞬時に下げる回路である。そして操作ボタン３５が押圧されてスイッチＳＷ５がオンされた信号を制御回路５１から受け取ると、音量を０レベルまで瞬時に下げ、再度、スイッチＳＷ５がオンされると元の音量まで瞬時に戻す構造になっている。
【００３３】
前記表示装置５６は、制御回路５１で制御された状態を表示するもので、例えば液晶表示装置であり、操作パネル２０上に配置される。従って、オペレータは、操作パネル２０上の表示を見ることによって、どのような操作状態、或いは操作レベルになっているかを知ることができる。
【００３４】
このように構成された音響機器５０では、オペレータシート１９に所定の状態に着座し、手で作業用操縦レバー２３の握り部２７を握っているオペレータが、周囲の環境に応じて、各操作ボタン３１〜３５を直接操作することにより、音響機器に於ける次の操作(１)〜(５)が可能になる。
(１)操作ボタン３１を押圧するとスイッチＳＷ１がオンされ、音響機器１０の電源がオンになる。又、再度、操作ボタン３１を押圧してスイッチＳＷ１をオンにすると、音響機器１０の電源がオフに切り換えられる。
(２)操作ボタン３２を押圧するとスイッチＳＷ２がオンされ、音響機器１０の音量が所定のレベルまで瞬時に下がる。又、再度、操作ボタン３２を押圧してスイッチＳＷ２がオンされると元の音量レベルまで瞬時に戻すことができる。
(３)操作ボタン３３を押圧するとスイッチＳＷ３がオンされ、操作ボタン３３を押圧している間、音響機器１０に於ける音量を最大レベルまで徐々に上げることができる。
(４)操作ボタン３４を押圧するとスイッチＳＷ４がオンされ、操作ボタン３４を押している間、音響機器１０に於ける音量を最小レベルまで徐々に下げることができる。
(５)操作ボタン３５を押圧するとスイッチＳＷ５がオンされ、音響機器１０の音量を０レベルまで瞬時に下げることができる。又、再度、操作ボタン３５を押圧するとスイッチＳＷ５が再びオンされ、音量を元のレベルまで瞬時に戻すことができる。
【００３５】
従って、本実施の形態に於ける建設機械の音響機器操作装置によれば、運転操作中に周囲の環境、例えば外部との会話や、ハンドフリー方式による電話或いは無線通信を行う必要が生じて、音量を下げたり、音源を遮断したりするとき、オペレータがオペレータシート１９の所定の位置に座ったままの状態で、又、作業用操縦レバー２３の握り部２７から手を離さずに音響機器用のスイッチＳＷ１〜ＳＷ５を操作ボタン３１〜３５を介して指で操作し、直ぐに対応することができる。これにより、オペレータの作業性及び居住性が向上すると共に安全性も向上することになる。
【００３６】
尚、本発明は、本発明の精神を逸脱しない限り種々の改変を為すことができ、そして、本発明が該改変されたものに及ぶことは当然である。
【図面の簡単な説明】
【００３７】
【図１】本発明が適用された油圧ショベルの全体側面図。
【図２】同上油圧ショベルに於けるキャブ内の概略構成を示す斜視図。
【図３】作業用操縦レバー周辺構造の側面図。
【図４】作業用操縦レバーの正面図。
【図５】音響機器の概略構成を示すブロック回路図。
【符号の説明】
【００３８】
１９              オペレータシート
２０              操作パネル
２１              スピーカ
２３              作業用操縦レバー
２５ａ，２５ｂ    コネクタ
２６              電気ケーブル
２７              握り部
３１〜４０        操作ボタン
５０              音響機器
５１              制御回路
５２              電源コントローラ
５３              音量レベルシフトダウンコントローラ
５４              音量コントローラ
５５              ミュートコントローラ
５６              表示装置
ＳＷ１            スイッチ（電源オン／オフ用スイッチ）
ＳＷ２            スイッチ（音量ダウンコントロール用スイッチ）
ＳＷ３            スイッチ（音量アップ用スイッチ）
ＳＷ４            スイッチ（音量ダウン用スイッチ）
ＳＷ５            スイッチ（ミュート用スイッチ）
ＳＷ６〜ＳＷ１０  作業操作用スイッチ
【図１】
2005307605.tif 000003
【図２】
2005307605.tif 000004
【図３】
2005307605.tif 000005
【図４】
2005307605.tif 000006
【図５】
2005307605.tif 000007